(57)【要約】【課題】所定の伝送路を介して受信装置に向けてデジタル信号を送信するために、該デジタル信号を所定の変調方式で変調する送信装置を提供する。【解決手段】本発明による一態様の送信装置は、伝送路上の中継器の特性を近似した特性を有する擬似衛星中継器６と、擬似衛星中継器６を介して送信するデジタル信号の信号点からマッピング後の理想ＩＱ信号点に対する衛星中継器の通過後の信号点のずれを誤差ベクトルとして求め、当該信号点のマッピング後の信号点をその誤差ベクトルで補正した信号点に変換するベクトル演算部３０と、当該信号点のマッピング後の信号点をその誤差ベクトルで補正するためにタイミング調整する遅延部７と、誤差ベクトルで補正した信号点で直交変調する直交変調部１４とを備える。【選択図】図３
2010136254.tif 000002
【特許請求の範囲】
【請求項１】
所定の伝送路を介して受信装置に向けてデジタル信号を送信するために、該デジタル信号を所定の変調方式で変調する送信装置であって、
前記伝送路上の対象機器の特性に対応する特性を有する擬似伝送器と、
該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段と、
当該信号点のマッピング後の信号点を前記誤差ベクトルで補正するためにタイミング調整するタイミング調整手段と、
前記誤差ベクトルで補正した信号点で直交変調する直交変調手段と、
を備えることを特徴とする送信装置。
【請求項２】
所定の伝送路を介して受信装置に向けてデジタル信号を送信するために、該デジタル信号を所定の変調方式で変調する送信装置であって、
前記伝送路上の対象機器の特性に対応する特性を有する擬似伝送器、
該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段、及び
当該信号点のマッピング後の信号点を前記誤差ベクトルで補正するためにタイミング調整するタイミング調整手段を一組の信号点変換器として、直列配列した複数の信号点変換器と、
前記直列配列した複数の信号点変換器によって、当該信号点のマッピング後の信号点を当該誤差ベクトルで補正した信号点で直交変調する直交変調手段と、
を備えることを特徴とする送信装置。
【請求項３】
所定の伝送路を介して受信装置に向けてデジタル信号を送信するために、該デジタル信号を所定の変調方式で変調しＯＦＤＭ多重して送信する送信装置であって、
周波数軸信号点系列を時間軸ＯＦＤＭ信号に変換するＯＦＤＭ変換部と、
前記伝送路上の対象機器の特性に対応する特性を有する擬似伝送器と、
時間軸信号点系列を周波数軸ＯＦＤＭ信号に変換するＯＦＤＭ逆変換部と、
該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段と、
当該信号点のマッピング後の信号点を前記誤差ベクトルで補正するためにタイミング調整するタイミング調整手段と、
前記誤差ベクトルで補正した信号点を時間軸ＯＦＤＭ信号に変換するＯＦＤＭ変換部と、
該時間軸ＯＦＤＭ信号で直交変調する直交変調手段と、
を備えることを特徴とする送信装置。
【請求項４】
所定の伝送路を介して受信装置に向けてデジタル信号を送信するために、該デジタル信号を所定の変調方式で変調しＯＦＤＭ多重して送信する送信装置であって、
周波数軸信号点系列を時間軸ＯＦＤＭ信号に変換するＯＦＤＭ変換部、
前記伝送路上の対象機器の特性に対応する特性を有する擬似伝送器、
時間軸信号点系列を周波数軸ＯＦＤＭ信号に変換するＯＦＤＭ逆変換部、
該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段、及び
当該信号点のマッピング後の信号点を前記誤差ベクトルで補正するためにタイミング調整するタイミング調整手段を一組の信号点変換器として、直列配列した複数の信号点変換器と、
前記直列配列した複数の信号点変換器によって、当該信号点のマッピング後の信号点を当該誤差ベクトルで補正した信号点を、時間軸ＯＦＤＭ信号に変換するＯＦＤＭ変換部と、
時間軸ＯＦＤＭ信号を直交変調する直交変調手段と、
を備えることを特徴とする送信装置。
【請求項５】
前記所定の変調方式は、ＡＳＫ、ＰＳＫ、若しくはＡＰＳＫを含むことを特徴とする、請求項１〜４のいずれか一項に記載の送信装置。
【請求項６】
所定の伝送路を介して受信装置に向けてデジタル信号を送信するために、該デジタル信号を所定の変調方式でＶＳＢ変調して送信する送信装置であって、
所定の帯域制限を行うＶＳＢフィルタ部と、
前記伝送路上の対象機器の特性に対応する特性を有する擬似伝送器と、
ＶＳＢ検波を行うＶＳＢ検波部と、
該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段と、
当該信号点のマッピング後の信号点を前記誤差ベクトルで補正するためにタイミング調整するタイミング調整手段と、
前記誤差ベクトルで補正した信号点系列に所定の帯域制限を行うＶＳＢフィルタ部と、
該ＶＳＢフィルタ部の出力を直交変調する直交変調手段と、
を備えることを特徴とする送信装置。
【請求項７】
所定の伝送路を介して受信装置に向けてデジタル信号を送信するために、該デジタル信号を所定の変調方式でＶＳＢ変調して送信する送信装置であって、
所定の帯域制限を行うＶＳＢフィルタ部、
前記伝送路上の対象機器の特性に対応する特性を有する擬似伝送器、
ＶＳＢ検波を行うＶＳＢ検波部、
該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段、及び
当該信号点のマッピング後の信号点を前記誤差ベクトルで補正するためにタイミング調整するタイミング調整手段を一組の信号点変換器として、直列配列した複数の信号点変換器と、
前記直列配列した複数の信号点変換器によって、当該信号点のマッピング後の信号点を当該誤差ベクトルで補正した信号点系列に所定の帯域制限を行うＶＳＢフィルタ部と、
該ＶＳＢフィルタ部の出力を直交変調する直交変調手段と、
を備えることを特徴とする送信装置。
【請求項８】
前記所定の変調方式は、１次元上に信号点を配置した変調方式であることを特徴とする、請求項６又は７に記載の送信装置。
【請求項９】
前記擬似伝送器は、前記対象機器における予め定められた入力フィルタ、増幅器、及び出力フィルタの特性を近似した値の設定値を有することを特徴とする、請求項１〜８のいずれか一項に記載の送信装置。
【請求項１０】
前記対象機器は、位相及び振幅の周波数特性及び非線形特性のうち１つ以上の既知の特性を有する中継器、電気機器、光学機器、又はこれらの組み合わせを含むことを特徴とする、請求項１〜９のいずれか一項に記載の送信装置。
【発明の詳細な説明】
【技術分野】
【０００１】
本発明は、伝送路による信号点の歪補正をシンボルごとに行い、変調することで伝送路による所要Ｃ／Ｎの劣化を軽減するデジタル信号の送信装置に関する。
【背景技術】
【０００２】
現在運用されている各種規格のデジタル放送のうち、衛星放送を例にとれば、放送衛星に備えた衛星中継器を使って複数の放送事業者が独立したＴＳ（トランスポートストリーム）を伝送できるように多重伝送される。衛星デジタル放送で採用されている規格には、ＩＳＤＢ−Ｓ、ＤＶＢ−Ｓ２などがある。そこで、以下、これらの規格に適合した一般化した送信装置として説明する。
【０００３】
図１は、放送衛星に備えた衛星中継器を介する伝送システムの構成を示すブロック図である。送信装置１からＴＭＣＣ信号等の制御情報で指定されるデジタル変調方式により、映像・音声・データ放送などを多重した主信号が実衛星２に伝送される。実衛星２の衛星中継器は、増幅器に前置される入力フィルタである入力マルチプレクサ（ＩＭＵＸ）フィルタ２１、進行波管増幅器（ＴＷＴＡ）２２、増幅器に後値される出力フィルタである出力マルチプレクサ（ＯＭＵＸ）フィルタ２３等を具備しており、ＩＭＵＸフィルタ２１によって受信した放送波信号から１チャンネル分ごとに帯域抽出を行い、進行波管増幅器（ＴＷＴＡ）２２により利得制御を行って、ＯＭＵＸフィルタ２３で不要周波数成分を抑圧し、後続の合成器（図示せず）により全チャンネル分の放送波信号を合成し、受信装置３−１〜３−Ｎ（Ｎは、１以上の自然数）に向けて放送波信号を送信する。
【０００４】
受信装置３−１〜３−Ｎは、多重された放送波信号とともに伝送されるＴＭＣＣ信号等の制御情報を絶えず監視することにより、送信装置１において様々な伝送制御が行われたとしても、それに追従して受信方式などを切り替えることができる。
【０００５】
図２は、従来からの送信装置１の変調器１１の構成のみを示すブロック図である。この送信装置１の変調器１１は、所定の符号化を施してＴＭＣＣ信号等の制御情報を付加した送信するデータ信号（以下、単にデジタル信号とも称する）に対して、シリアルのビット列をパラレルに変換するシリアル／パラレル変換（Ｓ／Ｐ）部１２と、所定の変調方式毎にマッピングするマッピング部１３と、各々の所定の変調方式に応じた直交変調を施す直交変調部１４とを備える。
【０００６】
マッピング部１３によりＴＭＣＣ信号等の制御情報により指定されたデジタル変調方式に対応した信号点にマッピングされた信号点座標は、直交変調部１４に入力され、直交変調部１４は、この信号点座標を直交変調し、変調波信号を生成する。直交変調部１４により生成された変調波信号は、実衛星２に向けてアップリンクされる。
【０００７】
尚、所定のデジタル変調方式とは、π／２シフトＢＰＳＫを含むＢＰＳＫ、π／４シフトＱＰＳＫを含むＱＰＳＫ、８ＰＳＫ、１６ＡＰＳＫ若しくは３２ＡＰＳＫなどを含み、マッピング部１３は、これらの変調方式に対応したマッパを用意することができる。
【０００８】
図１に示す実衛星２内の衛星中継器の機能について更に説明する。ＩＭＵＸフィルタ２１は、各チャンネル周波数に対応した帯域通過フィルタであり、受信した放送波信号から１チャンネル分の帯域成分のみをそれぞれ抽出することができる。進行波管増幅器（ＴＷＴＡ）２２は、抽出した１チャンネル分の放送波信号について、さらに電力増幅することができる。ＯＭＵＸフィルタ２３は、各チャンネル周波数に対応した帯域通過フィルタであり、進行波管増幅器（ＴＷＴＡ）２２によって増幅した放送波信号に対し、１チャンネル分の帯域成分のみを抽出し、不要周波数成分を抑圧することができる。
【０００９】
一方、進行波管増幅器（ＴＷＴＡ）２２は、入力レベルと出力レベルとの間の関係が比例関係となるように電力増幅処理することが望ましい。しかし、この入出力特性は、実際には入力レベルが大きくなると利得が低下する非線形性を示し、同時に入力信号に対する出力信号の位相も回転する。従って、入力レベルを徐々に上げると、あるレベルまでは出力レベルも上がるが、ある入力レベルを超えると、出力レベルは逆に低下する現象となる。このような出力レベルの低下が起こる直前の動作点を、一般に、出力飽和点と云う。また、この出力飽和点から入力レベルをＸ［ｄＢ］下げて運用する場合を「入力バックオフＸ［ｄＢ］」と云い、同様に、入力レベルを絞って、出力レベルをＹ［ｄＢ］下げた状態で運用する場合を「出力バックオフＹ［ｄＢ］」と云う。
【００１０】
進行波管増幅器（ＴＷＴＡ）２２の飽和点で最も効率の良い伝送が可能であるため、π／２シフトＢＰＳＫを含むＢＰＳＫやπ／４シフトＱＰＳＫを含むＱＰＳＫ、８ＰＳＫといったＰＳＫ変調を利用する場合、進行波管増幅器（ＴＷＴＡ）２２の入力信号について、入力バックオフが０ｄＢとなるようなレベルで入力されるように前置減衰器等により自動調整する。一方、１６ＡＰＳＫや３２ＡＰＳＫといったＡＰＳＫ変調の場合、信号点配置において複数の振幅を持つ信号点が存在するため、増幅器の非線形特性によって所要Ｃ／Ｎの劣化を起こし易い。このため、これらの変調方式を利用する場合には、進行波管増幅器（ＴＷＴＡ）２２の入力信号について、入力バックオフが、それぞれの変調方式と誤り訂正符号の組み合わせに対して、出力バックオフによる電力損と非線形による所要Ｃ／Ｎの劣化の和がもっとも小さくなるようなレベルで入力されるように前置減衰器等により自動調整する。
【００１１】
このように、従来からのデジタル信号の送信装置に用いられる変調器は、送信するデジタル信号を、変調方式に従って１シンボルで同時に伝送できる情報ビット数ごとに、当該シンボルに対応する１つの信号点に定まるようにマッピングした送信信号点で搬送波を変調している。特に、３２ＡＰＳＫ等の多値振幅位相変調では信号歪みに対してより線形性が要求され、放送衛星では、進行波管増幅器（ＴＷＴＡ）２２をある程度線形で動作させるために、より大きな出力バックオフをとる（例えば、特許文献１参照）。
【００１２】
一方、地上デジタル放送で採用されている規格には、ＩＳＤＢ−Ｔ、ＤＶＢ−Ｔ、ＤＶＢ−Ｔ２などがある。
【００１３】
これらの規格では、ＯＦＤＭ（直交周波数分割多重）と呼ばれる多重方式が採用されている。ＯＦＤＭでは、等間隔の搬送波数千本にそれぞれＱＰＳＫやＡＰＳＫの一種である６４ＱＡＭといった変調波を多重伝送する（例えば、非特許文献１参照）。
【００１４】
図７はＯＦＤＭによる送信装置の構成を示すブロック図である。この送信装置１の変調器１１は、デジタル信号に対して、シリアルのビット列をパラレルに変換するシリアル／パラレル変換（Ｓ／Ｐ）部１２と、所定の変調方式毎にマッピングするマッピング部１３と、各々の所定の変調方式に応じた直交変調を施す直交変調部１４とを備える点で図２に示す送信装置と同じであるが、シリアル／パラレル変換（Ｓ／Ｐ）部１５１ａ，１５１ｂ、逆高速フーリエ変換（ＩＦＦＴ）部１５２、パラレル／シリアル変換（Ｐ／Ｓ）部１５３ａ，１５３ｂからなるＯＦＤＭ変換部１５を備えた点で異なる。
【００１５】
尚、通常はこのブロック図に図示しないパイロット信号や伝送制御信号、ガードインターバルの挿入が行われるが、ここでは以下の説明に影響しないため省略する。
【００１６】
また、図７には、電力増幅して電波を放射する一般的な送信装置の機能として、出力段にフィルタ１６１、電力増幅部１６２、及びフィルタ１６３からなる増幅器１６と、アンテナ１７も併記してある。
【００１７】
マッピング部１３によりＴＭＣＣ信号等の制御情報等で指定されたデジタル変調方式に対応した変調方式でマッピングされた信号点座標は、シリアル／パラレル変換（Ｓ／Ｐ）部１５１ａ，１５１ｂにより、多数のＯＦＤＭ搬送波に割り振られる。次に逆高速フーリエ変換（ＩＦＦＴ）部１５２により多数のＯＦＤＭ搬送波を同数の時間軸信号に変換する。さらに、パラレル／シリアル変換（Ｐ／Ｓ）部１５３ａ，１５３ｂにより、得られた時間軸信号を１本の時系列信号に変換する。その後、直交変調部１４に入力され、直交変調部１４は、この信号を直交変調し、変調波信号を生成する。直交変調部１４により生成された変調波信号は、さらに、フィルタ１６１で不要周波数成分を抑圧し、電力増幅部１６２で所定の電力に増幅し、フィルタ１６３で不要周波数成分を抑圧し、アンテナ１７から図示しない受信機に向けて電波を放射する。
【００１８】
尚、所定のデジタル変調方式とは、π／２シフトＢＰＳＫを含むＢＰＳＫ、π／４シフトＱＰＳＫを含むＱＰＳＫ、８ＰＳＫや、ＡＰＳＫの一種である１６ＱＡＭ、３２ＱＡＭ、６４ＱＡＭ、１２８ＱＡＭ、若しくは２５６ＱＡＭなどを含み、マッピング部１３は、これらの変調方式に対応したマッパを用意することができる。
【００１９】
ＯＦＤＭによる多重を行った変調波は、平均電力に対するピーク電力が非常に大きいため、この電力増幅器には極めて高い線形性が求められ、大きなバックオフをとって運用される（例えば、非特許文献２参照）。
【００２０】
【特許文献１】特許公開２００８−１９９５７４号公報
【非特許文献１】日本放送協会編、「ＮＨＫデジタルテレビ技術教科書」、日本放送協会出版、２００７年２月２０日発行、ｐ.１１２
【非特許文献２】トランジスタ技術２００８年３月増刊、「ＲＦワールドＮｏ．１」、ＣＱ出版、２００８年３月１日発行、ｐ．５５
【発明の開示】
【発明が解決しようとする課題】
【００２１】
従来の変調器では、衛星中継器を通過後、進行波管増幅器（ＴＷＴＡ）の非線形歪などにより、受信装置側の信号点配置は同じ情報ビットであったとしても所望の点からずれが発生し、直交ＩＱ平面上で広がりを生じる。そのため、特に多値振幅位相変調では、シンボル間干渉により誤りが発生しやすくなり、結果として所要Ｃ／Ｎが増大し、伝送品質劣化となる。また、多値振幅位相変調のとき進行波管増幅器（ＴＷＴＡ）の出力バックオフをとる一方で、受信電力が低下し、結果として所要Ｃ／Ｎの劣化となる。また、地上デジタル放送でも、ＯＦＤＭが採用されているため、同様に増幅器には大きなバックオフをとった運用が必要である。
【００２２】
本発明の目的は、上述の問題に鑑み、衛星中継器等による非線形歪を事前に送信装置の変調器側で補正することにより、所要Ｃ／Ｎの劣化量や出力バックオフ量をできる限り軽減させ、受信装置側での信号点配置のずれ幅を小さくする、デジタル信号の送信装置を提供することにある。
【課題を解決するための手段】
【００２３】
本発明は、多値変調信号送信の際、理想的な信号点配置（以下、理想ＩＱ信号点と称する）と、想定される伝送路の通過後のＩＱ信号点との誤差ベクトルをシンボルごとに計算し、その誤差ベクトルを差し引いた信号点に変換して伝送することで、伝送路通過によるシンボル点がＩＱ平面上での広がりを軽減し、所要Ｃ／Ｎの劣化を改善する。
【００２４】
即ち、本発明による送信装置は、所定の伝送路を介して受信装置に向けてデジタル信号を送信するために、該デジタル信号を所定の変調方式で変調する送信装置であって、前記伝送路上の対象機器の特性に対応する特性を有する擬似伝送器と、該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段と、当該信号点のマッピング後の信号点を前記誤差ベクトルで補正するためにタイミング調整するタイミング調整手段と、前記誤差ベクトルで補正した信号点で直交変調する直交変調手段と、
を備えることを特徴とする。
【００２５】
また、本発明による送信装置は、所定の伝送路を介して受信装置に向けてデジタル信号を送信するために、該デジタル信号を所定の変調方式で変調する送信装置であって、前記伝送路上の対象機器の特性に対応する特性を有する擬似伝送器、該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段、及び当該信号点のマッピング後の信号点を前記誤差ベクトルで補正するためにタイミング調整するタイミング調整手段を一組の信号点変換器として、直列配列した複数の信号点変換器と、前記直列配列した複数の信号点変換器によって、当該信号点のマッピング後の信号点を当該誤差ベクトルで補正した信号点で直交変調する直交変調手段とを備えることを特徴とする。
【００２６】
また、本発明による送信装置は、所定の伝送路を介して受信装置に向けてデジタル信号を送信するために、該デジタル信号を所定の変調方式で変調しＯＦＤＭ多重して送信する送信装置であって、周波数軸信号点系列を時間軸ＯＦＤＭ信号に変換するＯＦＤＭ変換部と、前記伝送路上の対象機器の特性に対応する特性を有する擬似伝送器と、時間軸信号点系列を周波数軸ＯＦＤＭ信号に変換するＯＦＤＭ逆変換部と、該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段と、当該信号点のマッピング後の信号点を前記誤差ベクトルで補正するためにタイミング調整するタイミング調整手段と、前記誤差ベクトルで補正した信号点を時間軸ＯＦＤＭ信号に変換するＯＦＤＭ変換部と、該時間軸ＯＦＤＭ信号で直交変調する直交変調手段とを備えることを特徴とする。
【００２７】
また、本発明による送信装置は、所定の伝送路を介して受信装置に向けてデジタル信号を送信するために、該デジタル信号を所定の変調方式で変調しＯＦＤＭ多重して送信する送信装置であって、周波数軸信号点系列を時間軸ＯＦＤＭ信号に変換するＯＦＤＭ変換部、前記伝送路上の対象機器の特性に対応する特性を有する擬似伝送器、時間軸信号点系列を周波数軸ＯＦＤＭ信号に変換するＯＦＤＭ逆変換部、該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段、及び当該信号点のマッピング後の信号点を前記誤差ベクトルで補正するためにタイミング調整するタイミング調整手段を一組の信号点変換器として、直列配列した複数の信号点変換器と、前記直列配列した複数の信号点変換器によって、当該信号点のマッピング後の信号点を当該誤差ベクトルで補正した信号点を、時間軸ＯＦＤＭ信号に変換するＯＦＤＭ変換部と、時間軸ＯＦＤＭ信号を直交変調する直交変調手段とを備えることを特徴とする。
【００２８】
また、本発明による送信装置において、前記所定の変調方式は、ＡＳＫ、ＰＳＫ、若しくはＡＰＳＫを含むことを特徴とする。尚、ＱＡＭはＡＰＳＫ変調のうち、信号点配置を直交格子上に選んだものであるから、ＱＡＭもＡＰＳＫに含まれる。
【００２９】
また、本発明による送信装置は、所定の伝送路を介して受信装置に向けてデジタル信号を送信するために、該デジタル信号を所定の変調方式でＶＳＢ変調して送信する送信装置であって、所定の帯域制限を行うＶＳＢフィルタ部と、前記伝送路上の対象機器の特性に対応する特性を有する擬似伝送器と、ＶＳＢ検波を行うＶＳＢ検波部と、該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段と、当該信号点のマッピング後の信号点を前記誤差ベクトルで補正するためにタイミング調整するタイミング調整手段と、前記誤差ベクトルで補正した信号点系列に所定の帯域制限を行うＶＳＢフィルタ部と、該ＶＳＢフィルタ部の出力を直交変調する直交変調手段とを備えることを特徴とする。
【００３０】
また、本発明による送信装置は、所定の伝送路を介して受信装置に向けてデジタル信号を送信するために、該デジタル信号を所定の変調方式でＶＳＢ変調して送信する送信装置であって、所定の帯域制限を行うＶＳＢフィルタ部、前記伝送路上の対象機器の特性に対応する特性を有する擬似伝送器、ＶＳＢ検波を行うＶＳＢ検波部、該擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算手段、及び当該信号点のマッピング後の信号点を前記誤差ベクトルで補正するためにタイミング調整するタイミング調整手段を一組の信号点変換器として、直列配列した複数の信号点変換器と、前記直列配列した複数の信号点変換器によって、当該信号点のマッピング後の信号点を当該誤差ベクトルで補正した信号点系列に所定の帯域制限を行うＶＳＢフィルタ部と、該ＶＳＢフィルタ部の出力を直交変調する直交変調手段とを備えることを特徴とする。
【００３１】
また、本発明による送信装置において、前記所定の変調方式は、１次元上に信号点を配置した変調方式であることを特徴とする。
【００３２】
また、本発明による送信装置において、前記擬似伝送器は、前記対象機器における予め定められた入力フィルタ、増幅器、及び出力フィルタの特性を近似した値の設定値を有することを特徴とする。尚、前記中継器に増幅器が存在しない場合には、前記入力フィルタ、及び前記出力フィルタはいずれも単なる帯域通過フィルタを意味する。
【００３３】
また、本発明による送信装置において、前記対象機器は、位相及び振幅の周波数特性及び非線形特性のうち１つ以上の既知の特性を有する中継器、電気機器、光学機器、又はこれらの組み合わせを含むことを特徴とする。
【発明の効果】
【００３４】
本発明によれば、想定される伝送路の歪を送信側で事前に計算し、シンボルごとに補正するため、とりわけ非線形歪の影響に弱い多値振幅位相変調のときに、大幅な所要Ｃ／Ｎの劣化を改善する効果を奏する。
【発明を実施するための最良の形態】
【００３５】
まず、本発明による実施例１の送信装置を説明する。尚、各図面において、同様な構成要素には同一の参照番号を付して説明する。
【００３６】
（実施例１）
図３は、本発明による実施例１の送信装置（前述のように、各種規格に準拠した一般化した送信装置である）における変調器の構成のみを示すブロック図である。実施例１の送信装置１は、前述した図１に示す放送衛星に備えた衛星中継器を介する伝送システムに適用可能な送信装置であり、既存の放送衛星に対して放送波信号を送信することができる。更に、既設の別の送信装置とは無関係に伝送システムに組み入れることができる。従って、実施例１の送信装置１は、デジタル放送で採用されている規格、例えばＩＳＤＢ−Ｓ、ＤＶＢ−Ｓ２などに準拠したものとすることができる。従って、実施例１の送信装置１は、実衛星２の衛星中継器を介して受信装置３−Ｎに向けてデジタル信号を送信するために、該デジタル信号を所定の変調方式で変調する送信装置として構成される。
【００３７】
図３に示すように、実施例１の送信装置１における変調器は、送信するデジタル信号（所定の符号化を施した変調前の信号）に対して、シリアルのビット列をパラレルに変換するシリアル／パラレル変換（Ｓ／Ｐ）部１２と、所定の変調方式毎にマッピングするマッピング部１３と、信号点変換部５と、各々の所定の変調方式に応じた直交変調を施す直交変調部１４とを備える。ここで、シリアル／パラレル変換（Ｓ／Ｐ）部１２、マッピング部１３、及び直交変調部１４は、図２に示した従来からの一般的な送信装置のものと同様に機能する。
【００３８】
信号点変換部５は、擬似衛星中継器６と、遅延部７と、第１ベクトル加算部８及び第２ベクトル加算部９からなるベクトル演算部３０とを備える。
【００３９】
擬似衛星中継器６は、図１に示す実衛星２の衛星中継器の位相及び振幅の周波数特性及び非線形特性に近似した特性を有し、即ち入力マルチプレクサ（ＩＭＵＸ）フィルタ６１、進行波管増幅器（ＴＷＴＡ）６２、及び出力マルチプレクサ（ＯＭＵＸ）フィルタ６３を具備しており、ＩＭＵＸフィルタ６１によってマッピング部１３を経て入力されるデジタル信号から１チャンネル分ごとに帯域抽出を行い、進行波管増幅器（ＴＷＴＡ）６２により利得制御を行って、ＯＭＵＸフィルタ６３で不要周波数成分を抑圧する。これにより、擬似衛星中継器６は、送信するデジタル信号の信号点のマッピング後の理想ＩＱ信号点に対して、実衛星２の衛星中継器によって生じうる信号点のずれを模擬した信号点のＩＱ信号を送出する。
【００４０】
第１ベクトル加算部８は、擬似衛星中継器６から送出される、送信するデジタル信号の信号点のマッピング後の理想ＩＱ信号点に対する信号点のずれを誤差ベクトルとしてシンボルごとに生成する。
【００４１】
遅延部７は、マッピング部１３による信号点のマッピング後の信号点を、第１ベクトル加算部８による誤差ベクトルで補正するために、タイミング調整する。従って、遅延部７は、擬似衛星中継器６によって生じる遅延量Ｄと同一の遅延量でタイミング調整するように機能する。
【００４２】
第２ベクトル加算部９は、マッピング部１３による信号点のマッピング後の信号点を、第１ベクトル加算部８による誤差ベクトルで補正した信号点に変換する。第１ベクトル加算部８及び第２ベクトル加算部９はベクトル演算部３０を構成し、ベクトル演算手段として機能する。
【００４３】
直交変調部１４は、第２ベクトル加算部９によって誤差ベクトルで補正した信号点で、所定の変調方式に応じて直交変調する。ここで云う所定の変調方式には、π／２シフトＢＰＳＫを含むＢＰＳＫ、π／４シフトＱＰＳＫを含むＱＰＳＫ、８ＰＳＫ、１６ＡＰＳＫ若しくは３２ＡＰＳＫを含む。
【００４４】
以下、実施例１の送信装置の動作をより詳細に説明する。
【００４５】
実施例１の送信装置１における変調器に入力されるデジタル信号は、シリアル／パラレル変換（Ｓ／Ｐ）部１２により伝送に用いる変調方式で１シンボルあたりに伝送できるビット数にシリアル／パラレル変換される。マッピング部１３は、この変換された信号に対してＩ信号振幅及びＱ信号振幅に変換するマッピング処理を行う。
【００４６】
次に、マッピングした信号は２分配され、そのうちの一方の信号は、実衛星２の衛星中継器の特性を模擬した擬似衛星中継器６における入力マルチプレクサ（ＩＭＵＸ）フィルタ６１、進行波管増幅器（ＴＷＴＡ）６２、及び出力マルチプレクサ（ＯＭＵＸ）フィルタ６３に通過させる。ここで、擬似衛星中継器６におけるＩＭＵＸフィルタ６１及びＯＭＵＸフィルタ６３の周波数に対する振幅特性及び群遅延特性、並びにＴＷＴＡのＡＭ−ＡＭ特性及びＡＭ−ＰＭ特性は、実衛星２の衛星中継器の特性に近似した特性に設定し、好適には実衛星２の設計時の値か、又は実衛星２の衛星中継器の運行中の設定値と等価に設定する。
【００４７】
また、擬似衛星中継器６は、実衛星２の衛星中継器の特性を模擬したものでよいため、厳密に実衛星２の衛星中継器の特性に対する同一性が要求されるものではないことは云うまでもない。従って、入力マルチプレクサ（ＩＭＵＸ）フィルタ６１、進行波管増幅器（ＴＷＴＡ）６２、及び出力マルチプレクサ（ＯＭＵＸ）フィルタ６３と同等の機能を有する限り、任意の態様で構成することができ、例えば進行波管増幅器（ＴＷＴＡ）６２の代わりに対応するデジタル値の信号を増幅変換するルックアップテーブルを格納したメモリで構成することもできる。また、入力マルチプレクサ（ＩＭＵＸ）フィルタ６１、及び出力マルチプレクサ（ＯＭＵＸ）フィルタ６３はデジタルフィルタで構成することもできる。
【００４８】
次に、擬似衛星中継器６の通過で生じる遅延量Ｄとすると、遅延部７により、マッピングした信号における２分配の他方の信号にも同じ遅延量Ｄをもたせ、シンボルごとにベクトル演算する際の同期をとるようにする。
【００４９】
次に、第１ベクトル加算部８により、ベクトル演算ではまずマッピング後の理想ＩＱ信号点からみた擬似衛星中継器６の通過後の信号点のずれを誤差ベクトルとしてシンボルごとに導出する。誤差ベクトルを求める演算は、擬似衛星中継器６から入力される信号点の平均電力が遅延部７から入力されるＩＱ信号点の平均電力と等しくなるように、若しくはより好適には、ベクトル加算部８の出力の平均電力が最小になるように調整した後、擬似衛星中継器６から入力される信号点ベクトルから遅延部７から入力されるＩＱ信号点ベクトルを減算することにより行う。次に、第２ベクトル加算部９によりその誤差ベクトルを差し引いた信号点を発生させる（図４参照）。尚、第２ベクトル加算部９は後続する直交変調部１４以降の処理に影響を与えないよう変換後のＩＱ信号点の平均電力が元の理想ＩＱ信号点の平均電力と同値になるように、変換後、全シンボルの振幅を定数倍して調整し出力する。
【００５０】
直交変調部１４は、これらのベクトル演算した信号点で直交変調する。尚、ここではベクトル演算部３０を第１ベクトル加算部８及び第２ベクトル加算部９で構成したが、これらで行っている演算は遅延部７の出力信号点のベクトルを２倍し、擬似衛星中継器６の出力ベクトルを、擬似衛星中継器６から入力される信号点の平均電力が遅延部７から入力されるＩＱ信号点の平均電力と等しくなるように調整した後、減算することでも実現できる。
【００５１】
従って、実施例１の送信装置１によれば、所要Ｃ／Ｎの劣化を改善した放送波信号を送信することができる。
【００５２】
次に、本発明による実施例２の送信装置を説明する。尚、各図面において、同様な構成要素には同一の参照番号を付して説明する。
【００５３】
（実施例２）
図５は、本発明による実施例２の送信装置における変調器の構成のみを示すブロック図である。
【００５４】
実施例２の送信装置１は、前述した実施例１の送信装置における誤差補正精度を更に高めるように構成した装置である。即ち、実施例１の送信装置における擬似衛星中継器６、ベクトル演算手段として機能するベクトル演算部３０、及びタイミング調整手段として機能する遅延部７を一組の信号点変換器として、直列配列した複数の信号点変換器を備え、直交変調部１４は、直列配列した複数の該信号点変換器によって、マッピング部１３による信号点のマッピング後の信号点を直列配列した最終段の信号点変換器を経て得られる誤差ベクトルで補正した信号点で直交変調する。
【００５５】
尚、実施例２の送信装置１において、一組の信号点変換器１−ｎ（ｎは、１以上の自然数）は、それぞれ同様に機能するものとし、図５では、擬似衛星中継器６の入力マルチプレクサ（ＩＭＵＸ）フィルタ６１−１，６１−２，６１−３と、進行波管増幅器（ＴＷＴＡ）６２−１，６２−２，６２−３と、出力マルチプレクサ（ＯＭＵＸ）フィルタ６３−１，６３−２，６３−３と、ベクトル演算部３０−１，３０−２，３０−３と、第１ベクトル加算部８−１，８−２，８−３と、遅延部７−１，７−２，７−２ａ，７−２ｂ，７−３，７−３ａ，７−３ｂ，７−３ｃと、第２ベクトル加算部９−１，９−２，９−３として示しており、それぞれ実施例１の送信装置における入力マルチプレクサ（ＩＭＵＸ）フィルタ６１と、進行波管増幅器（ＴＷＴＡ）６２と、出力マルチプレクサ（ＯＭＵＸ）フィルタ６３と、ベクトル演算部３０と、第１ベクトル加算部８と、遅延部７と、第２ベクトル加算部９に対応する機能を有する。
【００５６】
また、図５ではベクトル加算８−２およびベクトル加算８−３の減算「−」に入力される信号はマッピング１３出力から遅延部をそれぞれ２および３個使用しているが、これを仮に遅延D７−１出力にすれば、ベクトル加算８−２の減算「−」までの構成は遅延D７−２aと遅延部が１個に軽減できる。更に、上記仮定のもとベクトル加算８−３の減算「−」の接続を遅延D７−２aの出力にすればこちらも遅延部を1個に軽減することも可能である。
【００５７】
従って、実施例２の送信装置１によれば、所要Ｃ／Ｎの劣化を更に改善した放送波信号を送信することができる。
【００５８】
実施例１及び２の送信装置１におけるシミュレーション計算の結果の一例を、代表的に３２ＡＰＳＫ変調について図６に示す。
【００５９】
図６を参照するに、図６（Ａ）は、図５に示す図示Ａにおける理想ＩＱ信号点のマッピングを示す。従って、３２ＡＰＳＫ変調した信号点は、本来この信号点配置で受信装置に到達するのが望ましい。
【００６０】
図６（Ｂ）は、実衛星２における衛星中継器を通過させた復調時の際と同等のＩＱ信号点配置となる、図５に示す図示Ｂにおける擬似衛星中継器６を通過後のＩＱ信号点のマッピングを示す。これは、理想ＩＱ信号点を直交変調し、衛星中継器を通過させた場合、入力マルチプレクサ（ＩＭＵＸ）フィルタによる帯域制限、進行波管増幅器（ＴＷＴＡ）による非線形特性、出力マルチプレクサ（ＯＭＵＸ）フィルタによる帯域制限の影響を受けるためであり、補正することなく既存の衛星中継器を通過させた場合に、等価受信Ｃ／Ｎの劣化が大きいことが分かる。シミュレーションの結果によれば、この時のエラーベクトル振幅（ＥＶＭ：Ｅｒｒｏｒ Ｖｅｃｔｏｒ Ｍａｇｎｉｔｕｄｅ）は１６．２％となった。尚、ここでの出力バックオフ（ＯＭＵＸフィルタ出力における無変調時の飽和出力に対する変調波出力時の出力比）は３．０ｄＢとした。
【００６１】
図６（Ｃ）は、図５に示す図示Ｃにおける１回のベクトル演算で得られる誤差ベクトルで表されるＩＱ信号点のマッピングを示す。
【００６２】
図６（Ｄ）は、図５に示す図示Ｄにおける１回のベクトル演算で補正したＩＱ信号点で変調した信号を、実衛星２における衛星中継器を通過させた復調時の際と同等のＩＱ信号点配置となる擬似衛星中継器６を通過後のＩＱ信号点のマッピングを示す。図６（Ｂ）と比較して、等価Ｃ／Ｎの劣化が改善することが分かる。シミュレーションの結果によれば、ＥＶＭが６．９％まで抑えることができた。
【００６３】
図６（Ｅ）は、図５に示す図示Ｅにおける２回のベクトル演算で得られる誤差ベクトルで表されるＩＱ信号点のマッピングを示す。
【００６４】
図６（Ｆ）は、図５に示す図示Ｆにおける２回誤差ベクトルで補正したＩＱ信号点で変調した信号を、実衛星２における衛星中継器を通過させた復調時の際と同等のＩＱ信号点配置となる擬似衛星中継器６を通過後のＩＱ信号点のマッピングを示す。図６（Ｄ）と比較して、等価Ｃ／Ｎの劣化が更に改善することが分かる。シミュレーションの結果によれば、ＥＶＭが４．２％まで抑えることができた。
【００６５】
このように、複数回の歪補正演算によって、更なるＥＶＭ値の低下、及び所要Ｃ／Ｎ劣化の改善が期待できることが分かる。
【００６６】
次に、本発明による実施例３の送信装置を説明する。尚、各図面において、同様な構成要素には同一の参照番号を付して説明する。
【００６７】
（実施例３）
図８は、本発明による実施例３の送信装置の構成を示すブロック図である。実施例３の送信装置１は、前述した図７に示すＯＦＤＭによる伝送システムに適用可能な送信装置であり、既存の放送受信機に対して放送波信号を送信することができる。更に、既設の別の送信装置とは無関係に伝送システムに組み入れることができる。従って、実施例３の送信装置１は、デジタル放送で採用されている規格、例えばＩＳＤＢ−Ｔ、ＤＶＢ−Ｔ、ＤＶＢ−Ｔ２などに準拠したものとすることができる。従って、実施例３の送信装置１は、図示しない受信装置に向けてデジタル信号を送信するために、該デジタル信号を所定の変調方式で変調する送信装置として構成される。
【００６８】
図８に示すように、実施例３の送信装置１における変調器１１は、送信するデジタル信号（所定の符号化を施した変調前の信号）に対して、シリアルのビット列をパラレルに変換するシリアル／パラレル変換（Ｓ／Ｐ）部１２と、所定の変調方式毎にマッピングするマッピング部１３と、信号点変換部５と、ＯＦＤＭ変換部１５と、直交変調を施す直交変調部１４とを備える。ここで、シリアル／パラレル変換（Ｓ／Ｐ）部１２、マッピング部１３、ＯＦＤＭ変換部１５、及び直交変調部１４は、図７に示した従来からの一般的な送信装置のものと同様に機能する。
【００６９】
信号点変換部５は、シリアル／パラレル変換（Ｓ／Ｐ）部１８１ａ，１８１ｂ、逆高速フーリエ変換（ＩＦＦＴ）部１８２、及びパラレル／シリアル変換（Ｐ／Ｓ）部１８３ａ，１８３ｂからなるＯＦＤＭ変換部１８と、フィルタ部１９１、電力増幅部１９２、及びフィルタ部１９３からなる擬似増幅器１９と、シリアル／パラレル変換（Ｓ／Ｐ）部２０１ａ，２０１ｂ、高速フーリエ変換（ＦＦＴ）部２０２、及びパラレル／シリアル変換（Ｐ／Ｓ）部２０３ａ，２０３ｂからなるＯＦＤＭ逆変換部２０と、遅延部７と、第１ベクトル加算部８及び第２ベクトル加算部９からなるベクトル演算部３０とを備える。
【００７０】
擬似増幅器１９は、図７に示す増幅器１６における位相及び振幅の周波数特性及び非線形特性に近似した特性を有し、即ちフィルタ１９１、電力増幅部１９２、及びフィルタ１９３を具備しており、フィルタ１９１によって不要周波数成分の抑圧を行い、電力増幅部１９２により所定の電力に増幅し、フィルタ１９３で不要周波数成分を抑圧する。
【００７１】
これにより、擬似増幅器１９は、送信するデジタル信号の信号点のマッピング後の理想ＩＱ信号点に対して、増幅器１６によって生じうる信号点のずれを模擬した信号点をもつＯＦＤＭで多重化された時間軸信号のＩＱ信号を送出する。また、後段のＯＦＤＭ逆変換部２０では、擬似増幅器１９から出力されたＯＦＤＭで多重化された時間軸信号のＩＱ信号を周波数軸のＩＱ信号に変換する。
【００７２】
第１ベクトル加算部８は、ＯＦＤＭ逆変換部２０から送出される、送信するデジタル信号の信号点のマッピング後の信号点から理想ＩＱ信号点に対するずれを誤差ベクトルとしてシンボルごとに生成する。
【００７３】
遅延部７は、マッピング部１３による信号点のマッピング後の信号点を、第１ベクトル加算部８による誤差ベクトルで補正するために、タイミング調整する。従って、遅延部７は、ＯＦＤＭ変換部１８、擬似増幅器１９、およびＯＦＤＭ逆変換部２０によって生じる遅延量Ｄと同一の遅延量でタイミング調整するように機能する。
【００７４】
第２ベクトル加算部９は、マッピング部１３による信号点のマッピング後の信号点を、第１ベクトル加算部８による誤差ベクトルで補正した信号点に変換する。第１ベクトル加算部８及び第２ベクトル加算部９はベクトル演算部３０を構成し、ベクトル演算手段として機能する。
【００７５】
ＯＦＤＭ変換部１５は、信号変換部５の出力を、シリアル／パラレル変換（Ｓ／Ｐ）部１５１ａ，１５１ｂにより、多数のＯＦＤＭ搬送波に割り振られる。次に逆高速フーリエ変換（ＩＦＦＴ）部１５２により多数のＯＦＤＭ搬送波を同数の時間軸信号に変換する。さらに、パラレル／シリアル変換（Ｐ／Ｓ）部１５３ａ，１５３ｂにより、得られた時間軸信号を１本の時系列信号に変換する。その後、直交変調部１４に入力され、直交変調部１４は、第２ベクトル加算部９によって誤差ベクトルで補正した信号点で、所定の変調方式に応じて直交変調する。ここで云う所定の変調方式には、π／２シフトＢＰＳＫを含むＢＰＳＫ、π／４シフトＱＰＳＫを含むＱＰＳＫ、８ＰＳＫ、１６ＱＡＭ、３２ＱＡＭ、６４ＱＡＭ、１２８ＱＡＭ、及び２５６ＱＡＭを含む。
【００７６】
以下、実施例３の送信装置の動作をより詳細に説明する。
【００７７】
実施例３の送信装置１における変調器に入力されるデジタル信号は、シリアル／パラレル変換（Ｓ／Ｐ）部１２により伝送に用いる変調方式で１シンボルあたりに伝送できるビット数にシリアル／パラレル変換される。マッピング部１３は、この変換された信号に対してＩ信号振幅及びＱ信号振幅に変換するマッピング処理を行う。
【００７８】
次に、マッピングした信号は２分配され、そのうちの一方の信号は、ＯＦＤＭ変換部１８のシリアル／パラレル変換（Ｓ／Ｐ）部１８１ａ,１８１ｂで多数のＯＦＤＭ搬送波に割り振られる。逆フーリエ変換（ＩＦＦＴ）部１８２では、ＯＦＤＭ搬送波を同数の時間軸信号に変換する。この時間軸信号は、増幅器１６の特性を模擬した擬似増幅器１９におけるフィルタ１９１、電力増幅部１９２、及びフィルタ１９３に通過させる。ここで、擬似増幅器１９におけるフィルタ１９１及びフィルタ１９３の周波数に対する振幅特性及び群遅延特性、並びに電力増幅部１９２のＡＭ−ＡＭ特性及びＡＭ−ＰＭ特性は、増幅器１６のものに近い特性に設定し、好適には増幅器１６の設計時の値か、又は増幅器１６の運行中の設定値と等価に設定する。擬似中継器通過後の信号は、ＯＦＤＭ逆変換部２０のシリアル／パラレル変換（Ｓ／Ｐ）部２０１ａ,２０１ｂでＯＦＤＭ搬送波と同数に分配され、高速フーリエ変換（ＦＦＴ）部２０２で周波数軸信号に変換される。その後、パラレル／シリアル変換（Ｐ／Ｓ）部２０３ａ,２０３ｂで１本の信号系列に変換される。この信号系列は、擬似増幅器１９による影響をうけた信号点の系列となる。
【００７９】
なお、擬似増幅器１９は、増幅器１６の特性を模擬したものでよいため、厳密に増幅器１６の特性に対する同一性が要求されるものではないことは云うまでもない。従って、フィルタ１６１、電力増幅部１６２、及びフィルタ１６３と同等の機能を有する限り、任意の態様で構成することができ、例えば電力増幅部１９２の代わりに対応するデジタル値の信号を増幅変換するルックアップテーブルを格納したメモリで構成することもできる。また、フィルタ１９１、及びフィルタ１９３はデジタルフィルタで構成することもできる。
【００８０】
ＯＦＤＭ変換部１８、擬似増幅器１９、及びＯＦＤＭ逆変換部２０の通過で生じる遅延量Ｄとすると、遅延部７により、マッピングした信号における２分配の他方の信号にも同じ遅延量Ｄをもたせ、シンボルごとにベクトル演算する際の同期をとるようにする。
【００８１】
第１ベクトル加算部８により、ベクトル演算ではまずマッピング後の理想ＩＱ信号点からみたＯＦＤＭ変換部１８、擬似増幅器１９、及びＯＦＤＭ逆変換部２０を通過後の信号点のずれを誤差ベクトルとしてシンボルごとに導出する。誤差ベクトルを求める演算は、ＯＦＤＭ逆変換部２０から入力される信号点の平均電力が遅延部７から入力されるＩＱ信号点の平均電力と等しくなるように、若しくはより好適には、ベクトル加算部８の出力の平均電力が最小になるように調整した後、ＯＦＤＭ逆変換部２０から入力される信号点ベクトルから、遅延部７から入力されるＩＱ信号点ベクトルを減算することにより行う。
【００８２】
次に、第２ベクトル加算部９によりその誤差ベクトルを差し引いた信号点を発生させる（図４参照）。尚、第２ベクトル加算部９は、後続するＯＦＤＭ変換部１５以降の処理に影響を与えないよう変換後のＩＱ信号点の平均電力が元の理想ＩＱ信号点の平均電力と同値になるように、変換後、全シンボルの振幅を定数倍して調整し出力する。その後、ＯＦＤＭ変換部１５でこれらのベクトル演算した信号点がＯＦＤＭ信号に変換され、直交変調部１４が直交変調する。尚、ここではベクトル演算部３０を第１ベクトル加算部８及び第２ベクトル加算部９で構成したが、これらで行っている演算は遅延部７の出力信号点のベクトルを２倍し、擬似増幅器１９の出力ベクトルを、ＯＦＤＭ逆変換部２０から入力される信号点の平均電力が遅延部７から入力されるＩＱ信号点の平均電力と等しくなるように調整した後、減算することでも実現できる。
【００８３】
このように、実施例３の送信装置１によれば、所定の伝送路を介して受信装置に向けてデジタル信号を送信するために、該デジタル信号を所定の変調方式で変調しＯＦＤＭ多重して送信する送信装置として提供され、この送信装置は、周波数軸信号点系列を時間軸ＯＦＤＭ信号に変換するＯＦＤＭ変換部１８と、伝送路上の対象機器の特性に対応する特性を有する擬似伝送器（本実施例では、擬似増幅器１９）と、時間軸信号点系列を周波数軸ＯＦＤＭ信号に変換するＯＦＤＭ逆変換部２０と、擬似伝送器を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算部３０と、当該信号点のマッピング後の信号点を誤差ベクトルで補正するためにタイミング調整する遅延部７と、誤差ベクトルで補正した信号点を時間軸ＯＦＤＭ信号に変換するＯＦＤＭ変換部１５と、該時間軸ＯＦＤＭ信号で直交変調する直交変調部１４とを備え、所要Ｃ／Ｎの劣化を改善した放送波信号を送信することができるようになる。
【００８４】
また、実施例１から実施例２に拡張したのと同様に、送信装置における誤差補正精度を更に高めるように構成することが可能である。即ち、実施例３の送信装置は、ＯＦＤＭ変換部１８、擬似増幅器１９、ＯＦＤＭ逆変換部２０、ベクトル演算手段として機能するベクトル演算部３０、及びタイミング調整手段として機能する遅延部７を一組の信号点変換器として、直列配列した複数の該信号点変換器１−ｎを備え、ＯＦＤＭ変換部１５は、直列配列した複数の該信号点変換器によってマッピング部による信号点のマッピング後の信号点を直列配列した最終段の信号点変換器を経て得られる誤差ベクトルで補正した信号点をＯＦＤＭ信号に変換し、直交変調部１４は、このＯＦＤＭ変換部１５の出力を直交変調するように構成とすることも可能である。
【００８５】
より具体的には、実施例３の送信装置１を拡張した態様として、所定の伝送路を介して受信装置に向けてデジタル信号を送信するために、該デジタル信号を所定の変調方式で変調しＯＦＤＭ多重して送信する送信装置として提供することができる。この送信装置は、周波数軸信号点系列を時間軸ＯＦＤＭ信号に変換するＯＦＤＭ変換部１８、伝送路上の対象機器の特性に対応する特性を有する擬似伝送器（本実施例では、擬似増幅器１９）、時間軸信号点系列を周波数軸ＯＦＤＭ信号に変換するＯＦＤＭ逆変換部２０、該擬似伝送器を介して送信するデジタル信号の信号点からマッピング後の理想ＩＱ信号点に対する対象機器の通過後の信号点のずれを誤差ベクトルとして求め、当該信号点のマッピング後の信号点を前記誤差ベクトルで補正した信号点に変換するベクトル演算部３０、及び当該信号点のマッピング後の信号点を前記誤差ベクトルで補正するためにタイミング調整するタイミング調整手段を一組の信号点変換器として、直列配列した複数の信号点変換器１−ｎと、直列配列した複数の信号点変換器によって、当該信号点のマッピング後の信号点を当該誤差ベクトルで補正した信号点を、時間軸ＯＦＤＭ信号に変換するＯＦＤＭ変換部１５と、時間軸ＯＦＤＭ信号を直交変調する直交変調部１４とを備え、所要Ｃ／Ｎの劣化を改善した放送波信号を送信するように構成とすることも可能である。
【００８６】
上述の実施例については衛星デジタル放送、及びＯＦＤＭ多重を行う地上デジタル放送に適用した場合を代表的な例として説明したが、同様にそれ以外の伝送路にも適用が可能である。たとえば、通信衛星経由及び／又は中継器経由で映像信号を撮影現場からスタジオまで伝送する素材伝送用には変調方式に１６ＱＡＭ変調や３２ＱＡＭ変調などが利用される。この場合、実施例１の図３、又は実施例２の図５においてマッピング部１３を１６ＱＡＭや３２ＱＡＭ変調に対応したものとし、擬似衛星中継器又は擬似増幅器の特性を当該通信衛星の入力マルチプレクサ（ＩＭＵＸ）フィルタ、進行波管増幅器、及び出力マルチプレクサ（ＯＭＵＸ）フィルタの特性に近似させて構成すればよい。
【００８７】
また、デジタル変調された信号を更に電気／光変換して光ファイバーで伝送し、光／電気変換してデジタル変調された信号を復元し、デジタル復調するような場合には、電気／光変換器、光／電気変換器の非線形特性が問題になる場合がある。このような場合、図３又は図５において、擬似衛星中継器６を、入力マルチプレクサ（ＩＭＵＸ）フィルタ６１、進行波管増幅器（ＴＷＴＡ）６２、及び出力マルチプレクサ（ＯＭＵＸ）フィルタ６３で構成する代わりに、電気／光変換器、光／電気変換器で構成し、その特性を実際に用いられる電気／光変換器、光／電気変換器の非線形特性とすることで、電気／光変換器、光／電気変換器の非線形特性による劣化を抑圧することができる。
【００８８】
また、本発明における送信装置は、地上の中継器を介して伝送するＯＦＤＭ以外の伝送システムにも適用することもできる。
【００８９】
例えば、米国や韓国の地上デジタル放送では、８値または１６値の信号点を一次元上に等間隔配置して変調した後、スペクトルの半分をフィルタで除去して伝送する８値／１６値ＶＳＢ変調を採用したＡＴＳＣ方式が用いられており、最終的に電波を送出する電力増幅器の非線形特性が問題となる場合が考えられる。この場合には、図３または図５において、擬似衛星中継器６を、入力マルチプレクサ（ＩＭＵＸ）フィルタ６１、進行波管増幅器（ＴＷＴＡ）６２、及び出力マルチプレクサ（ＯＭＵＸ）フィルタ６３で構成する代わりに、所定の帯域制限を行うＶＳＢフィルタ、電力増幅器、ＶＳＢ検波器で構成し、さらに直交変調部１４の前に所定の帯域制限を行うＶＳＢフィルタを配置すれば電力増幅器の非線形特性による劣化を抑圧したＶＳＢ変調器を構成することができる。なお、ＡＴＳＣ方式では８値または１６値の信号点を一次元上に等間隔配置した変調を基本とした８値／１６値ＶＳＢ変調が採用されているが、ＩＱ平面上の信号点を原点を通る一本の直線上に一次元的に配置した変調方式であれば、それを基本としたＶＳＢ変調器も構成可能であり、例えば、信号点数を３２、６４、１２８といった２のべき乗に選びその信号点を等間隔または不等間隔に一次元的に配置した変調方式とした構成も可能である。
【００９０】
具体的には、ＶＳＢ変調に適用する場合の送信装置は、所定の伝送路を介して受信装置に向けてデジタル信号を送信するために、該デジタル信号を所定の変調方式でＶＳＢ変調して送信する送信装置として提供することができる。この送信装置は、上述の実施例１の説明に従って、所定の帯域制限を行うＶＳＢフィルタ部（図示せず）と、伝送路上の対象機器（例えば、実衛星２の中継器）の特性に対応する特性を有する擬似伝送器６と、ＶＳＢ検波を行うＶＳＢ検波部（図示せず）と、擬似伝送器６を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算部３０と、この信号点のマッピング後の信号点を誤差ベクトルで補正するためにタイミング調整するタイミング遅延部７と、誤差ベクトルで補正した信号点系列に所定の帯域制限を行うＶＳＢフィルタ部（図示せず）と、該ＶＳＢフィルタ部の出力を直交変調する直交変調部１４とを備え、伝送路上の非線形特性による劣化を抑圧するように構成することができる。
【００９１】
更に、このＶＳＢ変調に適用する場合の送信装置は、上述の実施例２の説明に従って、所定の帯域制限を行うＶＳＢフィルタ部（図示せず）、伝送路上の対象機器（例えば、実衛星２の中継器）の特性に対応する特性を有する擬似伝送器６、ＶＳＢ検波を行うＶＳＢ検波部（図示せず）、擬似伝送器６を介して送信するデジタル信号の信号点からマッピング後の理想ＩＱ信号点に対する前記対象機器の通過後の信号点のずれを誤差ベクトルとして求め、当該信号点のマッピング後の信号点を前記誤差ベクトルで補正した信号点に変換するベクトル演算部３０、及び当該信号点のマッピング後の信号点を誤差ベクトルで補正するためにタイミング調整するタイミング調整部３０を一組の信号点変換器として、直列配列した複数の信号点変換器１−ｎと、この直列配列した複数の信号点変換器１−ｎによって、当該信号点のマッピング後の信号点を当該誤差ベクトルで補正した信号点系列に所定の帯域制限を行うＶＳＢフィルタ部（図示せず）と、該ＶＳＢフィルタ部の出力を直交変調する直交変調部１４とを備え、伝送路上の非線形特性による劣化を抑圧するように構成することができる。
【００９２】
上述の実施例については代表的な例として説明したが、本発明の趣旨及び範囲内で、多くの変形及び置換することができることは当業者に明らかである。例えば、上述の実施例では、衛星中継器又は地上波用の送信側増幅器を例に説明したが、このような衛星中継器又は地上波用の送信側増幅器は、位相及び振幅の周波数特性及び非線形特性のうち１つ以上の既知の特性を有する中継器、電気機器、光学機器、又はこれらの組み合わせに適用することができるため、これらを総括して「対象機器」と称する。尚、伝送路は、送信側の信号変調後から受信側の信号復調までの信号経路を云う。また、上述の実施例では、衛星中継器又は地上波用の送信側増幅器の特性に近似した特性を有する擬似衛星中継器又は擬似増幅器を説明したが、このような擬似衛星中継器又は擬似増幅器は、伝送路上の対象機器の特性を近似した特性（即ち、伝送路上の対象機器の特性に対応する特性）を有する任意の機器で構成できるため、これらを総括して「擬似伝送器」と称する。また、「近似した特性」（即ち、「対応する特性」）とは、「等価な特性」を含む。すなわち、本発明の本質は、中継器や伝送路で生じる歪を、送信装置において予め予測し、その歪成分を減じてから送信することによって伝送特性の改善を図るものであって、伝送特性の劣化要因となる中継器若しくは伝送路の構成要素はどのようなものであってもよい。とりわけ、本発明は、振幅位相変調の信号伝送に効果を発揮することは実施例で説明したとおりである。
【００９３】
従って、本発明は、上述の実施例によって制限するものと解するべきではなく、特許請求の範囲によってのみ制限される。
【産業上の利用可能性】
【００９４】
本発明によれば、伝送路歪みを好適に低減させることができるので、非線形歪補正装置及びデジタル変調装置などの専用化した装置としても構成でき、伝送歪を有する伝送路を介するデジタル信号の信号処理用途に有用である。
【図面の簡単な説明】
【００９５】
【図１】放送衛星に備えた衛星中継器を介する伝送システムの構成を示すブロック図である。
【図２】従来からの一般化した送信装置の変調器の構成のみを示すブロック図である。
【図３】本発明による実施例１の送信装置における変調器の構成のみを示すブロック図である。
【図４】本発明による実施例のベクトル演算を示す図である。
【図５】本発明による実施例２の送信装置における変調器の構成のみを示すブロック図である。
【図６】本発明による実施例の送信装置における３２ＡＰＳＫ変調時の信号点配置の計算結果を示す図である。
【図７】従来からの一般化したＯＦＤＭ送信装置の構成を示すブロック図である。
【図８】本発明による実施例３の送信装置の構成を示すブロック図である。
【符号の説明】
【００９６】
１  送信装置
１−ｎ  信号点変換器
２  実衛星
３−１〜３−Ｎ  受信装置
５  信号点変換部
６  擬似衛星中継器
７, ７−１，７−２，７−２ａ，７−２ｂ，７−３  遅延部
７−３ａ，７−３ｂ，７−３ｃ  遅延部
８, ８−１，８−２，８−３  第１ベクトル加算部
９, ９−１，９−２，９−３  第２ベクトル加算部
１１  変調器
１２  シリアル／パラレル変換（Ｓ／Ｐ）部
１３  マッピング部
１４  直交変調部
１５  ＯＦＤＭ変換部
１６  増幅器
１７  アンテナ
１８  ＯＦＤＭ変換部
１９  擬似増幅器
２０  ＯＦＤＭ逆変換部
２１  入力マルチプレクサ（ＩＭＵＸ）フィルタ
２２  進行波管増幅器（ＴＷＴＡ）
２３  出力マルチプレクサ（ＯＭＵＸ）フィルタ
３０，３０−１，３０−２，３０−３  ベクトル演算部
６１, ６１−１，６１−２，６１−３  入力マルチプレクサ（ＩＭＵＸ）フィルタ
６２, ６２−１，６２−２，６２−３  進行波管増幅器（ＴＷＴＡ）
６３, ６３−１，６３−２，６３−３  出力マルチプレクサ（ＯＭＵＸ）フィルタ
１５１ａ，１５１ｂ，１８１ａ，１８１ｂ，２０１ａ，２０１ｂ  シリアル／パラレル変換（Ｓ／Ｐ）部
１５３ａ，１５３ｂ，１８３ａ，１８３ｂ，２０３ａ,２０３ｂ  パラレル／シリアル変換（Ｐ／Ｓ）部
１５２，１８２  逆高速フーリエ変換（ＩＦＦＴ）部
２０２  高速フーリエ変換（ＦＦＴ）部
【図１】
2010136254.tif 000003
【図２】
2010136254.tif 000004
【図３】
2010136254.tif 000005
【図４】
2010136254.tif 000006
【図５】
2010136254.tif 000007
【図６】
2010136254.tif 000008
【図７】
2010136254.tif 000009
【図８】
2010136254.tif 000010